(57)【要約】【課題】ユーザが画像データを印刷しようとする場合に画像データを記録装置に送信して記録媒体に記録する際の最適な記録方法を設定する必要があるが、設定する頻度の高い項目を自動的にプリンタドライバ設定の第１画面に表示し設定する頻度の低い項目を自動的にプリンタドライバ設定の第２画面に表示するようにして、プリンタドライバ設定の操作性のよいプリンティングシステムを提供することを目的とする。【解決手段】プリンタドライバ設定において画像データを記録装置に送信して記録媒体に記録する際の最適な記録方法の基本項目と第１グループの詳細項目を第１画面に表示する手段と、第２グループの詳細項目を第２画面に表示する手段と、第１グループの詳細項目が第１画面に表示する項目数を超えた場合は最も設定した頻度の低い詳細項目を第２グループの詳細項目とする手段を有する。【選択図】　　　　図１
2004046468.tif 000002
【特許請求の範囲】
【請求項１】
アプリケーションプログラムからプリンタドライバを経由して画像データを記録装置に送信して記録媒体に記録するプリンティングシステムにおいて、
アプリケーションプログラムから記録装置に送信する画像データを受け取る手段と、
プリンタドライバ設定において画像データの種類を第１画面に表示する手段と、
プリンタドライバ設定において画像データの種類を設定する手段と、
プリンタドライバ設定において画像データを記録装置に送信して記録媒体に記録する際の最適な記録方法の基本項目を第１画面に表示する手段と、
プリンタドライバ設定において画像データを記録装置に送信して記録媒体に記録する際の最適な記録方法の基本項目を設定する手段と、
プリンタドライバ設定において画像データを記録装置に送信して記録媒体に記録する際の最適な記録方法の第１グループの詳細項目を第１画面に表示する手段と、
プリンタドライバ設定において画像データを記録装置に送信して記録媒体に記録する際の最適な記録方法の第１グループの詳細項目を設定する手段と、
プリンタドライバ設定において画像データを記録装置に送信して記録媒体に記録する際の最適な記録方法の第２グループの詳細項目を第２画面に表示する手段と、
プリンタドライバ設定において画像データを記録装置に送信して記録媒体に記録する際の最適な記録方法の第２グループの詳細項目を設定する手段と、
プリンタドライバ設定において画像データを記録装置に送信して記録媒体に記録する際の最適な記録方法の第２グループの詳細項目に対して新たに設定したら自動的に第１グループの詳細項目とする手段と、
プリンタドライバ設定において画像データを記録装置に送信して記録媒体に記録する際の最適な記録方法の第１グループの詳細項目が第１画面に表示する項目数を超えた場合は最も設定した頻度の低い詳細項目を第２グループの詳細項目とする手段と、
印刷する画像データを記録装置に送信する手段と、
印刷する画像データを記録装置に送信して記録媒体に記録する際の最適な記録方法を画像データの前に記録装置に送信する手段を有し、
アプリケーションプログラムから画像データを記録装置に送信して記録媒体に記録する際の最適な記録方法の設定を基本設定、詳細設定と分離して基本設定は必ずプリンタドライバ設定の第１画面に表示するようにし、詳細設定は設定する頻度の高い項目を自動的にプリンタドライバ設定の第１画面に表示し設定する頻度の低い項目を自動的にプリンタドライバ設定の第２画面に表示するようにしたことを特徴とするプリンティングシステムにおけるプリンタドライバ設定の最適化方法。
【請求項２】
請求項１において、
プリンタドライバ設定において画像データを記録装置に送信して記録媒体に記録する際の最適な記録方法の第２グループの詳細項目に対して、新たに設定したら自動的に第１グループの詳細項目とするか、または、第１グループ固定の詳細項目とするか、または、第２グループ固定の詳細項目とするかを設定する手段を有し、
アプリケーションプログラムから画像データを記録装置に送信して記録媒体に記録する際の最適な記録方法の設定を基本設定、詳細設定と分離して基本設定は必ずプリンタドライバ設定の第１画面に表示するようにし、詳細設定は設定する頻度の高い項目を自動的にプリンタドライバ設定の第１画面に表示し設定する頻度の低い項目を自動的にプリンタドライバ設定の第２画面に表示するか、または、必ずプリンタドライバ設定の第１画面に表示するか、または、必ずプリンタドライバ設定の第２画面に表示するかを選択できるようにしたことを特徴とするプリンティングシステムにおけるプリンタドライバ設定の最適化方法。
【請求項３】
請求項１において、
プリンタドライバ設定において画像データを記録装置に送信して記録媒体に記録する際の最適な記録方法の第１グループの詳細項目を第１画面に表示する項目数を設定する手段を有し、
アプリケーションプログラムから画像データを記録装置に送信して記録媒体に記録する際の最適な記録方法の設定を基本設定、詳細設定と分離して基本設定は必ずプリンタドライバ設定の第１画面に表示するようにし、詳細設定は設定する頻度の高い項目を自動的にプリンタドライバ設定の第１画面に表示し設定する頻度の低い項目を自動的にプリンタドライバ設定の第２画面に表示するようにし、さらに、プリンタドライバ設定の第１画面に表示する第１グループの詳細項目を制限することによってプリンタドライバ設定の第１画面を見やすく最適化できるようにしたことを特徴とするプリンティングシステムにおけるプリンタドライバ設定の最適化方法。
【発明の詳細な説明】
【０００１】
【発明の属する技術分野】
本発明はアプリケーションプログラムからプリンタドライバを経由して画像データを記録装置に送信して記録媒体に記録するプリンティングシステム、特にプリンティングシステムにおけるプリンタドライバ設定の最適化方法に関するものである。
【０００２】
【従来の技術】
従来、アプリケーションプログラムから画像データを記録装置に送信して記録媒体に記録するプリンティングシステムはいろいろ存在する。
【０００３】
古くはアプリケーションプログラム自体にプリンタドライバを包含して画像データをプリンタ用のデータ形式に変換して記録装置に送信して記録媒体に記録する方式がある。
【０００４】
この方式ではアプリケーションプログラム毎にプリンタドライバを持たなければならずアプリケーションプログラムの開発においてもメンテナンスにおいても非常に効率の悪いシステムであった。
【０００５】
その結果、プリンタドライバはアプリケーションプログラムとＡＰＩ（Ａｐｐｌｉｃａｔｉｏｎ　Ｐｒｏｇｒａｍｍｉｎｇ　Ｉｎｔｅｒｆａｃｅ）という共通の規約で通信することによってアプリケーションプログラムから独立して単独で動作可能で各アプリケーションプログラムから共通で使用できるシステムになっていった。
【０００６】
そのため、アプリケーションプログラム毎にプリンタドライバを持つ必要がなくなりアプリケーションプログラムの開発においてもメンテナンスにおいても効率の悪さが除去されていった。
【０００７】
しかしながら、アプリケーションプログラムから独立して単独で動作可能で各アプリケーションプログラムから共通で使用できるプリンタドライバであり、アプリケーションプログラムからプリンタドライバを経由して画像データを記録装置に送信して記録媒体に記録するプリンティングシステムであるものの、ただ単純に画像データをプリンタ用のデータ形式に変換して記録装置に送信するのみであった。
【０００８】
そこで、さらにユーザのニーズに細かく対応できるように画像データを記録装置に送信して記録媒体に記録する際の最適な記録方法をプリンタドライバ設定においてユーザが各種設定を行うことができるようになっていった。
【０００９】
その反面、ユーザのニーズに細かく対応できるようにしたデメリットとして非常に細かくユーザにとって分かりにくいものとなってしまいユーザは何をどう設定したらよいのか分からず、設定したい項目があるにもかかわらずその設定を諦めてほとんどデフォルト設定のまま印刷することが多い。
【００１０】
また、設定する場合もその項目を設定する画面になかなか行き着けず時間がかかるしかなりの苦労を強いられることが多い。さらに、設定する頻度が高い項目であるにもかかわらず、毎回その項目を設定する画面に行き着くのが面倒であり時間がかかり、きわめて操作性が悪いのが実情である。
【００１１】
【発明が解決しようとする課題】
本発明は上述した従来技術の欠点を除去するものであり、▲１▼アプリケーションプログラムから画像データを記録装置に送信して記録媒体に記録する際の最適な記録方法の設定において設定する頻度の高い項目を自動的にプリンタドライバ設定の第１画面に表示し設定する頻度の低い項目を自動的にプリンタドライバ設定の第２画面に表示するようにすることによって、さらに、▲２▼設定する頻度の高い項目を自動的にプリンタドライバ設定の第１画面に表示し設定する頻度の低い項目を自動的にプリンタドライバ設定の第２画面に表示するか、または、必ずプリンタドライバ設定の第１画面に表示するか、または、必ずプリンタドライバ設定の第２画面に表示するかを選択できるようにすることによって、重ねて、▲３▼設定する頻度の高い項目を自動的にプリンタドライバ設定の第１画面に表示し設定する頻度の低い項目を自動的にプリンタドライバ設定の第２画面に表示するようにし、さらに、プリンタドライバ設定の第１画面に表示する項目を制限することによってプリンタドライバ設定の第１画面を見やすく最適化できるようにすることによって、プリンタドライバ設定の操作性のよいプリンティングシステムを提供することを目的とするものである。
【００１２】
【課題を解決するための手段】
上記目的達成するために、
アプリケーションプログラムからプリンタドライバを経由して画像データを記録装置に送信して記録媒体に記録するプリンティングシステムにおいて、
アプリケーションプログラムから記録装置に送信する画像データを受け取る手段と、
プリンタドライバ設定において画像データの種類を第１画面に表示する手段と、
プリンタドライバ設定において画像データの種類を設定する手段と、
プリンタドライバ設定において画像データを記録装置に送信して記録媒体に記録する際の最適な記録方法の基本項目を第１画面に表示する手段と、
プリンタドライバ設定において画像データを記録装置に送信して記録媒体に記録する際の最適な記録方法の基本項目を設定する手段と、
プリンタドライバ設定において画像データを記録装置に送信して記録媒体に記録する際の最適な記録方法の第１グループの詳細項目を第１画面に表示する手段と、
プリンタドライバ設定において画像データを記録装置に送信して記録媒体に記録する際の最適な記録方法の第１グループの詳細項目を設定する手段と、
プリンタドライバ設定において画像データを記録装置に送信して記録媒体に記録する際の最適な記録方法の第２グループの詳細項目を第２画面に表示する手段と、
プリンタドライバ設定において画像データを記録装置に送信して記録媒体に記録する際の最適な記録方法の第２グループの詳細項目を設定する手段と、
プリンタドライバ設定において画像データを記録装置に送信して記録媒体に記録する際の最適な記録方法の第２グループの詳細項目に対して新たに設定したら自動的に第１グループの詳細項目とする手段と、
プリンタドライバ設定において画像データを記録装置に送信して記録媒体に記録する際の最適な記録方法の第１グループの詳細項目が第１画面に表示する項目数を超えた場合は最も設定した頻度の低い詳細項目を第２グループの詳細項目とする手段と、
印刷する画像データを記録装置に送信する手段と、
印刷する画像データを記録装置に送信して記録媒体に記録する際の最適な記録方法を画像データの前に記録装置に送信する手段を有することを特徴とする。
また上記特徴に加えて、
プリンタドライバ設定において画像データを記録装置に送信して記録媒体に記録する際の最適な記録方法の第２グループの詳細項目に対して、新たに設定したら自動的に第１グループの詳細項目とするか、または、第１グループ固定の詳細項目とするか、または、第２グループ固定の詳細項目とするかを設定する手段を有することを特徴とする。
【００１３】
また上記特徴に加えて、
プリンタドライバ設定において画像データを記録装置に送信して記録媒体に記録する際の最適な記録方法の第１グループの詳細項目を第１画面に表示する項目数を設定する手段を有することを特徴とする。
【００１４】
【発明の実施の形態】
（実施例）
以下、本発明の実施例を図面を用いて説明する。
【００１５】
図１は本発明の実施例を示す記録装置の全体斜視図である。
【００１６】
キャリッジ１０１は、記録ヘッド１０２とカートリッジガイド１０３が搭載されて、ガイド軸１０４及び１０５に沿って走査可能である。キャリッジ１０１の駆動機構は図示しない。記録媒体１０６は、給紙ローラ１０７によって本体装置内に送り込まれ、そして紙送りローラ１０８、ピンチローラ（不図示）、及び紙押さえ板１０９によって挟まれつつ記録ヘッド１０２の前面へと送られて記録される。イエロー、マゼンタ、シアンの３色のインクを収納したカラーカートリッジ１１０と、ブラックのインクを収納したブラックカートリッジ１１１は、それぞれ別々にカートリッジガイド１０３に挿入されて記録ヘッド１０２と連通接続される。
【００１７】
図２は本発明の実施例を示す記録装置の記録ヘッド図である。
【００１８】
記録ヘッドの前面部にはイエロー、マゼンタ、シアン、及びブラックのインクの吐出口グループが一直線上に配されている。イエロー用、マゼンタ用、及びシアン用の吐出口グループは、２４個ずつの吐出口を持ち、またブラック用の吐出口グループは６４個の吐出口を持ち、それぞれの色の吐出口グループ間にはノズルピッチ以上の間隔がある。これら吐出口の各々には、吐出口に連通するインク液路が設けられており、これらのインク液路の後方部位には、それらの液路にインクを提供するための共通液室（図示せず）が設けられている。
【００１９】
吐出口の各々に対応するインク液路には、これらの吐出口からインク適を吐出するために利用される熱エネルギーを発生する電気熱変換体や、これに電力を提供するための電極配線が設けられている。これらの電気熱変換体や電極配線は、シリコン等からなる基板上２０１に成膜技術によって形成されている。さらにこの基板２０１上に、樹脂やガラス材よりなる隔壁や天板等が積層されることによって、上記の吐出口、インク液路、及び共通液室が構成される。基板２０１の後方には、上記電気熱変換体を記録信号に基づいて駆動するための駆動回路がプリント基板２０２の形態で設けられている。
【００２０】
上記基板２０１及び２０２は、同一のアルミプレート２０３に固定されている。インクカートリッジ１１０及び１１１（図１参照）は、アルミプレート２０３にほぼ沿うようにカートリッジガイド１０３（図１参照）内に挿入され、そしてアルミプレート２０３に沿って突き出たパイプ２０４、２０５、２０６、２０７に接続される。パイプ２０４はイエロー用、パイプ２０５はマゼンタ用、パイプ２０６はシアン用、パイプ２０７はブラック用である。これらのパイプ２０４〜２０７は、基板と直交する方向に延在するプラスチック部材（「ディストリビュータ」とも称される）２０８から突き出ており、それぞれのパイプ２０４〜２０７は、プラスチック部材２０８内の流路を通して対応する吐出口グループ（イエロー、マゼンタ、シアン、ブラック）の共通液室に連通している。
【００２１】
図３は本発明の実施例を示す記録装置の回路ブロック図である。
【００２２】
１１０１はＰＣでありホスト機器として記録装置に記録データを送信する。１１０２はＩ／Ｆ部でありホスト機器からの記録装置を受信する。１１０３はＣＰＵ（中央処理装置）、１１０４はＲＯＭ、１１０５はＲＡＭである。１１０６はコントローラ（Ｇ．Ａ．）でありＩ／Ｆ部の制御、ＣＲモータの制御、ＬＦモータの制御、記録媒体センサ１の制御、記録媒体センサ２の制御、記録ヘッドの駆動制御を行うカスタムＩＣ（ゲートアレー）である。１１０７はＣＲモータの制御を行うＣＲモータドライバ、１１０８はＣＲモータ、１１０９はＬＦモータの制御を行うＬＦモータドライバ、１１１０はＬＦモータである。１１１３は記録ヘッドとを結ぶフレキシブルケーブルである。１１１４はキャリッジ端子パッドであり記録ヘッドとの結合部を接点を形成する。１１１５は記録ヘッドであり、１１１６は記録ヘッドの駆動部、１１１７は記録ヘッドの発熱素子である。記録装置は記録ヘッドがＣＲモータにて走査することによって記録する。
【００２３】
図４は本発明の実施例のアプリケーションプログラムとプリンタドライバの関係図である。
【００２４】
２１０１は第１のアプリケーションプログラム１である。２１０２は第２のアプリケーションプログラム２である。２１０３はＮ個目のアプリケーションプログラムＮである。２１０４はＡＰＩ（Ａｐｐｌｉｃａｔｉｏｎ　Ｐｒｏｇｒａｍｍｉｎｇ　Ｉｎｔｅｒｆａｃｅ）という共通の規約であり、プリンタドライバはＡＰＩを通して通信することによってアプリケーションプログラムから独立して単独で動作可能であり各アプリケーションプログラムから共通で使用できる。２１０５はプリンタドライバであり、１つのプリンティングシステムにおいて１つだけ存在する。２１０６はＩ／Ｆ部でありホスト機器と記録装置を接続する。２１０７は記録装置でありプリンタドライバから画像データを受信して記録媒体に記録する。
【００２５】
図５は本発明の実施例のプリンタドライバ設定の第１画面図である。
【００２６】
２２０１はプリンタドライバ設定の第１画面の全体画面である。２２０２は画像名エリアであり画像の名称を表示する。２２０３は画像プレビューエリアであり画像を縮小して表示する。２２０４は印刷終了ラインであり記録装置から印刷が終了した情報を受け取って印刷が終了したエリアをグレイアウトする。２２０５はプリンタ情報エリアでありプリンタ状態やインク情報などのプリンタに関する情報を表示する。２２０６は画像種類エリアであり画像データの種類を表示する。
【００２７】
この画像データの種類はアプリケーションプログラムから画像データを受け取る時に一緒に受け取る。２２０７は基本設定エリアでありアプリケーションプログラムから受け取った画像データの種類に関する情報によって画像データを記録装置に送信して記録媒体に記録する際の最適な記録方法を自動的に設定する。画像データの種類に関する情報と直接関係しない項目はデフォルト値が設定される。２２０８は詳細設定エリアであり基本設定の項目の設定内容によってさらに詳細で最適な記録方法を自動的に設定する。基本設定と直接関係しない項目はデフォルト値が設定される。２２０９は詳細設定ボタンでありさらに詳細な記録方法を設定する場合に選択する。２２１０はＯＫボタンでありプリンタドライバ設定の第１画面に表示されている設定内容で印刷を行う場合に選択する。２２１１はキャンセルボタンであり印刷をキャンセルする場合に選択する。２２１２は標準に戻すボタンでありプリンタドライバ設定をすべて標準の設定内容に戻す場合に選択する。２２１３はヘルプボタンでありプリンタドライバ設定に関するヘルプ情報を表示する場合に選択する。
【００２８】
図６は本発明の実施例のプリンタドライバ設定の第２画面図１である。
【００２９】
２３０１はプリンタドライバ設定の第２画面１の全体画面である。２３０２は詳細設定エリアでありプリンタドライバ設定の第１画面の詳細設定エリアの詳細設定ボタンが選択された場合に表示され詳細な記録方法を設定する。２３０５はＯＫボタンでありプリンタドライバ設定の第２画面１に表示されている設定内容を適用する場合に選択する。２３０６はキャンセルボタンでありプリンタドライバ設定の第２画面１に表示されている設定内容の適用をキャンセルする場合に選択する。２３０７は標準に戻すボタンでありプリンタドライバ設定の第２画面１に表示されている設定内容をすべて標準の設定内容に戻す場合に選択する。２３０８はヘルプボタンでありプリンタドライバ設定の第２画面１の設定に関するヘルプ情報を表示する場合に選択する。
【００３０】
図７は本発明の実施例のプリンタドライバ設定の第２画面図２である。
【００３１】
２４０１はプリンタドライバ設定の第２画面２の全体画面である。２４０２は詳細設定エリアでありプリンタドライバ設定の第１画面の詳細設定エリアの詳細設定ボタンが選択された場合に表示され詳細な記録方法を設定する。２４０３は表示画面選択エリアであり詳細項目に対して設定する頻度の高い項目を自動的にプリンタドライバ設定の第１画面に表示し設定する頻度の低い項目を自動的にプリンタドライバ設定の第２画面に表示する自動選択、または、必ずプリンタドライバ設定の第１画面に表示する第１画面固定、または、必ずプリンタドライバ設定の第２画面に表示する第２画面固定のいずれかを選択する。
【００３２】
２４０５はＯＫボタンでありプリンタドライバ設定の第２画面２に表示されている設定内容を適用する場合に選択する。２４０６はキャンセルボタンでありプリンタドライバ設定の第２画面２に表示されている設定内容の適用をキャンセルする場合に選択する。２４０７は標準に戻すボタンでありプリンタドライバ設定の第２画面２に表示されている設定内容をすべて標準の設定内容に戻す場合に選択する。２４０８はヘルプボタンでありプリンタドライバ設定の第２画面２の設定に関するヘルプ情報を表示する場合に選択する。
【００３３】
図８は本発明の実施例のプリンタドライバ設定の第２画面図３である。
【００３４】
２５０１はプリンタドライバ設定の第２画面３の全体画面である。２５０２は詳細設定エリアでありプリンタドライバ設定の第１画面の詳細設定エリアの詳細設定ボタンが選択された場合に表示され詳細な記録方法を設定する。２４０４は第１画面の表示項目数設定エリアでありプリンタドライバ設定の第１画面に表示する詳細項目の表示項目数を設定する。
【００３５】
２５０５はＯＫボタンでありプリンタドライバ設定の第２画面３に表示されている設定内容を適用する場合に選択する。２５０６はキャンセルボタンでありプリンタドライバ設定の第２画面３に表示されている設定内容の適用をキャンセルする場合に選択する。２５０７は標準に戻すボタンでありプリンタドライバ設定の第２画面３に表示されている設定内容をすべて標準の設定内容に戻す場合に選択する。２５０８はヘルプボタンでありプリンタドライバ設定の第２画面３の設定に関するヘルプ情報を表示する場合に選択する。
【００３６】
図９は本発明の実施例のプリンタドライバ設定の第１画面図の動作を示すフローチャートである。
【００３７】
まず、ステップＳ３１０１においてアプリケーションプログラムから画像データを受け取る。次にステップＳ３１０２においてアプリケーションプログラムから受け取った画像データの種類を第１画面に表示する。ステップＳ３１０３において受け取った画像データを記録装置に送信して記録媒体に記録する際の最適な記録方法の基本項目を第１画面に表示する。ステップＳ３１０４において受け取った画像データを記録装置に送信して記録媒体に記録する際の最適な記録方法の第１グループの詳細項目を第１画面に表示する。次にステップＳ３１０５において各種項目を設定する。
【００３８】
そしてステップＳ３１０６において入力された内容が何であるかを判別する。入力された内容が各種項目の設定である場合はステップＳ３１０７に進み設定の種類が何であるかを判別する。設定の種類が画像種類ならばステップＳ３１０８において設定された画像種類を有効にする。設定の種類が基本設定ならばステップＳ３１０９において設定された基本設定を有効にする。設定の種類が詳細設定ならばステップＳ３１１０において設定された詳細設定を有効にする。そしていずれの場合もステップＳ３１０５に戻り各種項目の設定を繰り返す。またステップＳ３１０６において入力された内容がＯＫボタンである場合はステップＳ３１１１に進み印刷する画像データに最適な記録方法を記録装置に送信する。
【００３９】
さらにステップＳ３１１２において印刷する画像データを記録装置に送信して終了する。またステップＳ３１０６において入力された内容がキャンセルボタンである場合は何もしないで終了する。またステップＳ３１０６において入力された内容が標準に戻すボタンである場合はステップＳ３１１３に進みプリンタドライバ設定の第１画面に表示されている設定内容をすべて標準の設定内容に戻してステップＳ３１０２に戻り第１画面の再表示から繰り返す。
【００４０】
またステップＳ３１０６において入力された内容がヘルプボタンである場合はステップＳ３１１４に進みプリンタドライバ設定の第１画面の設定に関するヘルプ情報を表示するヘルプ処理を行い終了したらステップＳ３１０２に戻り第１画面の再表示から繰り返す。
【００４１】
またステップＳ３１０６において入力された内容が詳細設定ボタンである場合はプリンタドライバ設定の第２画面図を表示してステップＳ３２０１またはステップＳ３３０１またはステップＳ３４０１に進みさらに詳細な記録方法を設定する。
【００４２】
図１０は本発明の実施例のプリンタドライバ設定の第２画面図１の動作を示すフローチャート１である。
【００４３】
ステップＳ３２０１において受け取った画像データを記録装置に送信して記録媒体に記録する際の最適な記録方法の第２グループの詳細項目を第２画面に表示する。次にステップＳ３２０２において各種項目を設定する。そしてステップＳ３２０３において入力された内容が何であるかを判別する。入力された内容が項目項目の設定である場合はステップＳ３２０４に進み設定された詳細設定を有効にする。そしてステップＳ３２０２に戻り各種項目の設定を繰り返す。
【００４４】
またステップＳ３２０３において入力された内容がＯＫボタンである場合はステップＳ３２０５に進み今回設定した詳細項目を第１グループとし第１グループで最も設定頻度の低い詳細項目を第２グループとしてからステップＳ３１０２に戻り第１画面の再表示から繰り返す。またステップＳ３２０３において入力された内容がキャンセルボタンである場合はステップＳ３２１２に進み今回設定した詳細項目を無効にしてからステップＳ３１０２に戻り第１画面の再表示から繰り返す。
【００４５】
またステップＳ３２０３において入力された内容が標準に戻すボタンである場合はステップＳ３２１３に進みプリンタドライバ設定の第２画面に表示されている設定内容をすべて標準の設定内容に戻してステップＳ３２０１に戻り第２画面の再表示から繰り返す。またステップＳ３２０３において入力された内容がヘルプボタンである場合はステップＳ３２１４に進みプリンタドライバ設定の第２画面の設定に関するヘルプ情報を表示するヘルプ処理を行い終了したらステップＳ３２０１に戻り第２画面の再表示から繰り返す。
【００４６】
図１１は本発明の実施例のプリンタドライバ設定の第２画面図２の動作を示すフローチャート２である。
【００４７】
ステップＳ３３０１において受け取った画像データを記録装置に送信して記録媒体に記録する際の最適な記録方法の第２グループの詳細項目を第２画面に表示する。次にステップＳ３３０２において各種項目を設定する。そしてステップＳ３３０３において入力された内容が何であるかを判別する。入力された内容が項目項目の設定である場合はステップＳ３３０４に進み設定された詳細設定を有効にする。そしてステップＳ３３０２に戻り各種項目の設定を繰り返す。またステップＳ３３０３において入力された内容がＯＫボタンである場合はステップＳ３３０５に進み詳細設定の表示画面選択が何であるかを判別する。
【００４８】
表示画面選択が自動設定ならばステップＳ３３０６において今回設定した詳細項目を第１グループとし第１グループで最も設定頻度の低い詳細項目を第２グループとする。表示画面選択が第１画面固定ならばステップＳ３３０７において今回設定した詳細項目を第１グループとし第１グループで最も設定頻度の低い詳細項目を第２グループとする。表示画面選択が第２画面固定ならばステップＳ３３０８において今回設定した詳細項目を第２グループのままとする。そしていずれの場合もステップＳ３３０９において今回設定した全詳細項目に対してグループ入れ替えチェックが終了したか判別する。
【００４９】
今回設定した全詳細項目に対してグループ入れ替えチェックが終了していなければステップＳ３３０５に戻りグループ入れ替えチェックを続行する。今回設定した全詳細項目に対してグループ入れ替えチェックが終了していればステップＳ３１０２に戻り第１画面の再表示から繰り返す。またステップＳ３３０３において入力された内容がキャンセルボタンである場合はステップＳ３３１２に進み今回設定した詳細項目を無効にしてからステップＳ３１０２に戻り第１画面の再表示から繰り返す。
【００５０】
またステップＳ３３０３において入力された内容が標準に戻すボタンである場合はステップＳ３３１３に進みプリンタドライバ設定の第２画面に表示されている設定内容をすべて標準の設定内容に戻してステップＳ３３０１に戻り第２画面の再表示から繰り返す。またステップＳ３３０３において入力された内容がヘルプボタンである場合はステップＳ３３１４に進みプリンタドライバ設定の第２画面の設定に関するヘルプ情報を表示するヘルプ処理を行い終了したらステップＳ３３０１に戻り第２画面の再表示から繰り返す。
【００５１】
図１２は本発明の実施例のプリンタドライバ設定の第２画面図３の動作を示すフローチャート３である。
【００５２】
ステップＳ３４０１において受け取った画像データを記録装置に送信して記録媒体に記録する際の最適な記録方法の第２グループの詳細項目を第２画面に表示する。次にステップＳ３４０２において各種項目を設定する。そしてステップＳ３４０３において入力された内容が何であるかを判別する。入力された内容が項目項目の設定である場合はステップＳ３４０４に進み設定された詳細設定を有効にする。そしてステップＳ３４０２に戻り各種項目の設定を繰り返す。またステップＳ３４０３において入力された内容がＯＫボタンである場合はステップＳ３４０５に進み第１画面の項目数が変更されている場合は設定頻度に従ってグループ入れ替えチェックを行い第１グループと第２グループの数を調整する。
【００５３】
そしてステップＳ３４０６において今回設定した詳細項目を第１グループとし第１グループで最も設定頻度の低い詳細項目を第２グループとしてからステップＳ３１０２に戻り第１画面の再表示から繰り返す。またステップＳ３４０３において入力された内容がキャンセルボタンである場合はステップＳ３４１２に進み今回設定した詳細項目を無効にしてからステップＳ３１０２に戻り第１画面の再表示から繰り返す。またステップＳ３４０３において入力された内容が標準に戻すボタンである場合はステップＳ３４１３に進みプリンタドライバ設定の第２画面に表示されている設定内容をすべて標準の設定内容に戻してステップＳ３４０１に戻り第２画面の再表示から繰り返す。またステップＳ３４０３において入力された内容がヘルプボタンである場合はステップＳ３４１４に進みプリンタドライバ設定の第２画面の設定に関するヘルプ情報を表示するヘルプ処理を行い終了したらステップＳ３４０１に戻り第２画面の再表示から繰り返す。
【００５４】
【発明の効果】
以上説明したように本発明によれば、ユーザが画像データを印刷しようとする場合に画像データを記録装置に送信して記録媒体に記録する際の最適な記録方法を設定する必要があるが、設定する頻度の高い項目を自動的にプリンタドライバ設定の第１画面に表示し設定する頻度の低い項目を自動的にプリンタドライバ設定の第２画面に表示するようにするのでユーザは自分に合った設定を簡単に行うことができる。
【００５５】
また、ユーザは必要に応じて各種設定項目を表示する画面を指定することもできる。さらには各種設定項目を表示する項目数を指定することもできる。
【００５６】
その結果、ユーザは印刷しようとする画像データを自分の好みに合わせて印刷するように簡単に設定することができる。
【００５７】
プリンタドライバ設定の操作性のよいプリンティングシステムを提供することによって、ＣＳ（Ｃｕｓｔｏｍｅｒ　Ｓａｔｉｓｆａｃｔｉｏｎ）度が極めて高くユーザを十分に満足させることができる。
【図面の簡単な説明】
【図１】本発明の実施例を示す記録装置の全体斜視図
【図２】本発明の実施例を示す記録装置の記録ヘッド図
【図３】本発明の実施例を示す記録装置の回路ブロック図
【図４】本発明の実施例のアプリケーションプログラムとプリンタドライバの関係図
【図５】本発明の実施例のプリンタドライバ設定の第１画面図
【図６】本発明の実施例のプリンタドライバ設定の第２画面図１
【図７】本発明の実施例のプリンタドライバ設定の第２画面図２
【図８】本発明の実施例のプリンタドライバ設定の第２画面図３
【図９】本発明の実施例のプリンタドライバ設定の第１画面図の動作を示すフローチャート
【図１０】本発明の実施例のプリンタドライバ設定の第２画面図１の動作を示すフローチャート１
【図１１】本発明の実施例のプリンタドライバ設定の第２画面図２の動作を示すフローチャート２
【図１２】本発明の実施例のプリンタドライバ設定の第２画面図３の動作を示すフローチャート３
【符号の説明】
１０１　　キャリッジ
１０２　　記録ヘッド
１０３　　カートリッジガイド
１０４　　ガイド軸
１０５　　ガイド軸
１０６　　記録媒体
１０７　　給紙ローラ
１０８　　紙送りローラ
１０９　　紙押さえ板
１１０　　カラーカートリッジ
１１１　　ブラックカートリッジ
【図１】
2004046468.tif 000003
【図２】
2004046468.tif 000004
【図３】
2004046468.tif 000005
【図４】
2004046468.tif 000006
【図５】
2004046468.tif 000007
【図６】
2004046468.tif 000008
【図７】
2004046468.tif 000009
【図８】
2004046468.tif 000010
【図９】
2004046468.tif 000011
【図１０】
2004046468.tif 000012
【図１１】
2004046468.tif 000013
【図１２】
2004046468.tif 000014